(57)【要約】【課題】画像プリントを行う対象物のカテゴリに応じて、文字情報を入力するフォーマットの構成を変更することで、記入漏れや記入ミスを防ぎ、不要な修正が行われることを回避して、効率良く画像プリントを行うことができる画像編集加工サービス提供システム、及び画像編集加工サービス提供方法を提供する。【解決手段】文字情報入力欄３０ｄにおいて、挨拶文（副文）項目３０ｆは、結婚カテゴリにおいてのみ表示される項目となっている。また、印刷氏名項目３０ｈのよみかたとふりがなを選択、入力する欄には、よみかたは印刷されず、ふりがなは印刷されることを明示する。また、挨拶文（主文）項目３０ｅから連絡先項目３０ｉまでの並び順は、実際にポストカードを作成する際の記入順とする。また、印刷の対象となる挨拶文（主文）項目３０ｅから連絡先項目３０ｉまでと、非印刷対象である要望項目３０ｊ、顧客情報項目３０ｋとは区別して配置する。【選択図】      図６
2004295167.tif 000002
【特許請求の範囲】
【請求項１】
顧客により選択されたテンプレートに対して、前記顧客により供された画像を配置し、前記顧客により入力された文字情報を合成した上で、それらに対してデザイン的な編集加工を施すことでプリント画像を作成し、前記プリント画像を用いてポストカードやカレンダーを作成する画像プリントサービスを所定のサイトを介して提供するための画像編集加工サービス提供システムであって、
ネットワークと、
前記ネットワークに接続され、前記所定のサイトに対するアクセスに応じて、対応する画面を表示させる受発注サーバと、
前記ネットワークに接続され、前記所定のサイトにアクセスすることで表示される画面において、前記テンプレートを選択し、前記文字情報をフォーマットに従って入力すると共に、前記テンプレートに合成する画像を配信することでデザイン注文を行うための顧客端末と、
前記ネットワークに接続され、前記所定のサイトにアクセスすることで表示される画面において、前記顧客端末からのデザイン注文の受付を行うと共に、前記デザイン注文に基づくデザイン作成業務を発注するための受発注管理者端末と、
前記ネットワークに接続され、前記所定のサイトにアクセスすることで表示される画面において、前記受発注管理者端末からのデザイン作成業務の受注を行うと共に、前記顧客端末において選択されたテンプレートに対して、前記顧客端末から配信された画像を配置し、前記所定の文字情報を合成した上で、それらに対してデザイン的な編集加工を施すことで前記プリント画像を作成するための作業者端末と、を含み、
前記受発注サーバは、前記顧客端末より、前記所定のサイトにアクセスすることで表示される画面において、前記テンプレートが選択された場合に、前記テンプレートのカテゴリに応じた入力項目からなるフォーマットを、前記文字情報を入力するフォーマットとして表示することを特徴とする画像編集加工サービス提供システム。
【請求項２】
前記受発注サーバは、前記顧客端末より、前記所定のサイトにアクセスすることで表示される画面において、前記テンプレートが選択された場合に、前記テンプレートのカテゴリに応じた入力項目からなるフォーマットと、前記テンプレートのカテゴリによらない汎用の入力項目からなるフォーマットを、前記文字情報を入力するフォーマットとして選択可能に表示することを特徴とする請求項１記載の画像編集加工サービス提供システム。
【請求項３】
前記テンプレートのカテゴリは、結婚の報告を行うカテゴリ、誕生の報告を行うカテゴリ、転居の報告を行うカテゴリ、入学の報告を行うカテゴリ、成長の報告を行うカテゴリ、ペットの報告を行うカテゴリの何れかを含むことを特徴とする請求項１又は請求項２に記載の画像編集加工サービス提供システム。
【請求項４】
顧客により選択されたテンプレートに対して、前記顧客により供された画像を配置し、前記顧客により入力された文字情報を合成した上で、それらに対してデザイン的な編集加工を施すことでプリント画像を作成し、前記プリント画像を用いてポストカードやカレンダーを作成する画像プリントサービスを所定のサイトを介して提供するための画像編集加工サービス提供システムであって、
ネットワークと、
前記ネットワークに接続され、前記所定のサイトに対するアクセスに応じて、対応する画面を表示させる受発注サーバと、
前記ネットワークに接続され、前記所定のサイトにアクセスすることで表示される画面において、前記テンプレートを選択し、前記文字情報をフォーマットに従って入力すると共に、前記テンプレートに合成する画像を配信することでデザイン注文を行うための顧客端末と、
前記ネットワークに接続され、前記所定のサイトにアクセスすることで表示される画面において、前記顧客端末からのデザイン注文の受付を行うと共に、前記デザイン注文に基づくデザイン作成業務を発注するための受発注管理者端末と、
前記ネットワークに接続され、前記所定のサイトにアクセスすることで表示される画面において、前記受発注管理者端末からのデザイン作成業務の受注を行うと共に、前記顧客端末において選択されたテンプレートに対して、前記顧客端末から配信された画像を配置し、前記所定の文字情報を合成した上で、それらに対してデザイン的な編集加工を施すことで前記プリント画像を作成するための作業者端末と、を含み、
前記受発注サーバは、前記顧客端末より、前記所定のサイトにアクセスすることで表示される画面において、前記テンプレートが選択された場合に、各入力項目が前記テンプレートにおける合成位置に応じた並び順となっているフォーマットを、前記文字情報を入力するフォーマットとして表示することを特徴とする画像編集加工サービス提供システム。
【請求項５】
前記受発注サーバは、前記顧客端末より、前記所定のサイトにアクセスすることで表示される画面において、前記テンプレートが選択された場合に、各入力項目が前記テンプレートにおける合成位置に応じた並び順となっているフォーマットと、各入力項目が前記テンプレートにおける合成位置によらない汎用の並び順となっているフォーマットを、前記文字情報を入力するフォーマットとして選択可能に表示することを特徴とする請求項４記載の画像編集加工サービス提供システム。
【請求項６】
前記各入力項目の並び順は、前記文字情報が縦書きで合成される場合には、前記各入力項目の前記テンプレートにおける合成位置が、右上から左下に向うにつれて後になるように決定されることを特徴とする請求項４又は請求項５に記載の画像編集加工サービス提供システム。
【請求項７】
前記各入力項目の並び順は、前記文字情報が横書きで合成される場合には、前記各入力項目の前記テンプレートにおける合成位置が、左上から右下に向うにつれて後になるように決定されることを特徴とする請求項４又は請求項５に記載の画像編集加工サービス提供システム。
【請求項８】
前記受発注サーバは、前記各入力項目の入力欄として表示する欄に対して、前記文字情報が入力される毎に、次の欄を追加して表示することを特徴とする請求項１乃至請求項７の何れか一項に記載の画像編集加工サービス提供システム。
【請求項９】
前記受発注サーバは、前記各入力項目の入力欄の数を増減させるための選択項目を、さらに表示することを特徴とする請求項１乃至請求項８の何れか一項に記載の画像編集加工サービス提供システム。
【請求項１０】
前記受発注サーバは、前記各入力項目に関して、当該入力項目が前記文字情報として合成されるか否かを明示する情報を、さらに表示することを特徴とする請求項１乃至請求項９の何れか一項に記載の画像編集加工サービス提供システム。
【請求項１１】
前記受発注サーバは、前記各入力項目に関して、当該入力項目が入力必須の項目であるか否かに応じて、その表示態様を変化させて表示することを特徴とする請求項１乃至請求項１０の何れか一項に記載の画像編集加工サービス提供システム。
【請求項１２】
前記受発注サーバは、前記選択されたテンプレートと前記フォーマットとを同一の画面上に表示し、前記テンプレートにおいて、前記フォーマットの各入力項目毎に当該入力項目の入力欄に入力される文字情報が合成される部分を表示すると共に、前記文字情報が入力される最中にある入力項目においては、当該入力項目の入力欄に入力される文字情報が合成される部分を強調して表示することを特徴とする請求項１乃至請求項１１の何れか一項に記載の画像編集加工サービス提供システム。
【請求項１３】
顧客により選択されたテンプレートに対して、前記顧客により供された画像を配置し、前記顧客により入力された文字情報を合成した上で、それらに対してデザイン的な編集加工を施すことでプリント画像を作成し、前記プリント画像を用いてポストカードやカレンダーを作成する画像プリントサービスを所定のサイトを介して提供するための画像編集加工サービス提供方法であって、
顧客端末より、前記所定のサイトにアクセスすることで表示される画面において、前記テンプレートを選択し、前記テンプレートのカテゴリに応じた入力項目からなるフォーマットに従って前記文字情報を入力すると共に、前記テンプレートに合成する画像を配信することでデザイン注文を行うステップと、
受発注管理者端末において、前記所定のサイトにアクセスすることで表示される画面において、前記顧客端末からのデザイン注文の受付を行うと共に、前記デザイン注文に基づくデザイン作成業務を発注するステップと、
作業者端末において、前記所定のサイトにアクセスすることで表示される画面において、前記受発注管理者端末からのデザイン作成業務の受注を行うと共に、前記顧客端末において選択されたテンプレートに対して、前記顧客端末から配信された画像を配置し、前記所定の文字情報を合成した上で、それらに対してデザイン的な編集加工を施すことで前記プリント画像を作成するステップと、を含むことを特徴とする画像編集加工サービス提供方法。
【請求項１４】
前記顧客端末より、前記所定のサイトにアクセスすることで表示される画面において、前記テンプレートが選択された場合に、前記テンプレートのカテゴリに応じた入力項目からなるフォーマットと、前記テンプレートのカテゴリによらない汎用の入力項目からなるフォーマットから前記文字情報を入力するフォーマットを選択するステップを、さらに含むことを特徴とする請求項１３記載の画像編集加工サービス提供方法。
【請求項１５】
前記テンプレートのカテゴリは、結婚の報告を行うカテゴリ、誕生の報告を行うカテゴリ、転居の報告を行うカテゴリ、入学の報告を行うカテゴリ、成長の報告を行うカテゴリ、ペットの報告を行うカテゴリの何れかを含むことを特徴とする請求項１３又は請求項１４に記載の画像編集加工サービス提供方法。
【請求項１６】
顧客により選択されたテンプレートに対して、前記顧客により供された画像を配置し、前記顧客により入力された文字情報を合成した上で、それらに対してデザイン的な編集加工を施すことでプリント画像を作成し、前記プリント画像を用いてポストカードやカレンダーを作成する画像プリントサービスを所定のサイトを介して提供するための画像編集加工サービス提供方法であって、
顧客端末より、前記所定のサイトにアクセスすることで表示される画面において、前記テンプレートを選択し、各入力項目が前記テンプレートにおける合成位置に応じた並び順となっているフォーマットに従って前記文字情報を入力すると共に、前記テンプレートに合成する画像を配信することでデザイン注文を行うステップと、
受発注管理者端末より、前記所定のサイトにアクセスすることで表示される画面において、前記顧客端末からのデザイン注文の受付を行うと共に、前記デザイン注文に基づくデザイン作成業務を発注するステップと、
前記作業者端末より、前記所定のサイトにアクセスすることで表示される画面において、前記受発注管理者端末からのデザイン作成業務の受注を行うと共に、前記顧客端末において選択されたテンプレートに対して、前記顧客端末から配信された画像を配置し、前記所定の文字情報を合成した上で、それらに対してデザイン的な編集加工を施すことで前記プリント画像を作成するステップと、を含むことを特徴とする画像編集加工サービス提供方法。
【請求項１７】
前記顧客端末より、前記所定のサイトにアクセスすることで表示される画面において、前記テンプレートが選択された場合に、前記各入力項目が前記テンプレートにおける合成位置に応じた並び順となっているフォーマットと、各入力項目が前記テンプレートにおける合成位置によらない汎用の並び順となっているフォーマットから前記文字情報を入力するフォーマットを選択するステップを、さらに含むことを特徴とする請求項１６記載の画像編集加工サービス提供方法。
【請求項１８】
前記各入力項目の並び順は、前記文字情報が縦書きで合成される場合には、前記各入力項目の前記テンプレートにおける合成位置が、右上から左下に向うにつれて後になるように決定されることを特徴とする請求項１６又は請求項１７に記載の画像編集加工サービス提供方法。
【請求項１９】
前記各入力項目の並び順は、前記文字情報が横書きで合成される場合には、前記各入力項目の前記テンプレートにおける合成位置が、左上から右下に向うにつれて後になるように決定されることを特徴とする請求項１６又は請求項１７に記載の画像編集加工サービス提供方法。
【請求項２０】
前記各入力項目の入力欄として表示する欄に対して、前記文字情報が入力される毎に、次の欄を追加して表示することを特徴とする請求項１３乃至請求項１９の何れか一項に記載の画像編集加工サービス提供方法。
【請求項２１】
前記各入力項目の入力欄の数を増減させるための選択項目を、さらに表示することを特徴とする請求項１３乃至請求項２０の何れか一項に記載の画像編集加工サービス提供方法。
【請求項２２】
前記各入力項目に関して、当該入力項目が前記文字情報として合成されるか否かを明示する情報を、さらに表示することを特徴とする請求項１３乃至請求項２１の何れか一項に記載の画像編集加工サービス提供方法。
【請求項２３】
前記各入力項目に関して、当該入力項目が入力必須の項目であるか否かに応じて、その表示態様を変化させて表示することを特徴とする請求項１３乃至請求項２２の何れか一項に記載の画像編集加工サービス提供方法。
【請求項２４】
前記選択されたテンプレートと前記フォーマットとを同一の画面上に表示し、前記テンプレートにおいて、前記フォーマットの各入力項目毎に当該入力項目の入力欄に入力される文字情報が合成される部分を表示すると共に、前記文字情報が入力される最中にある入力項目においては、当該入力項目の入力欄に入力される文字情報が合成される部分を強調して表示することを特徴とする請求項１３乃至請求項２３の何れか一項に記載の画像編集加工サービス提供方法。
【発明の詳細な説明】
【０００１】
【発明の属する技術分野】
本発明は、顧客の供する画像に対してデザイン的な編集加工を施し、その画像を用いてポストカードやカレンダーを作成する画像プリントサービスを、ネットワークを介して提供する画像編集加工サービス提供システム、及び画像編集加工サービス提供方法に関するものである。
【０００２】
【従来の技術】
従来から、取次店において、顧客が複数のテンプレートが記載される注文表において、所望するテンプレートを選択して、このテンプレートに合成するための郵便番号、住所、氏名、連絡先等の文字情報を記入すると共に、これらに合成するための画像として、プリントやネガフィルム、リバーサルフィルムなどのハードコピー、或いは、デジタル画像データを保持するメディアを添付することで、出力センター、ミニラボ（小規模現像所）、或いは、大ラボ（大規模現像所）においては、その注文表に基づいて画像プリントを行い、取次店において、顧客がその結果物であるポストカードやカレンダーを受け取るといった画像プリントサービスが提供されている。
【０００３】
ところで、近年においては、インターネットなどの通信技術の向上、及び、デジタルカメラやデジタルプリンタなどの画像処理技術の向上に伴い、デジタル画像は、一般家庭においてもホームページの作成やデジタルプリントなどの様々な用途に利用されることとなっている。
【０００４】
そこで、このような背景を鑑みて、顧客が自宅に所有するコンピュータ、或いは、出力センターや大ラボ等に設置されたコンピュータを用いて、自身がデジタルカメラ等により取得したデジタル画像データを画像サーバにアップロードして、そのデジタル画像データに合成するテンプレートを選択することで、出力センター、ミニラボ、或いは、大ラボにおいては、顧客から提供されたデジタル画像と顧客が選択したテンプレートとを合成して、ポストカードやカレンダーを作成する画像プリントサービスを提供するネットワークシステムが構築されている（例えば、特許文献１参照）。
【０００５】
このようなネットワークシステムによれば、顧客は、自宅に居ながらにしてポストカードやカレンダーを作成する画像プリントサービスの注文を行うことができ、また、自身が提供したデジタル画像データに対して、デジタル画像データに特化した色彩の調整、ボカシ、グラデーション等といった編集加工サービスを受けることができるので、非常に有効なサービスとなっている。従って、このようなサービスの需要は、今後、益々拡大していくことが予測されている。
【０００６】
ところで、ポストカードやカレンダーを代表とする付加価値プリントにおいては、既成のテンプレートと自身の提供するデジタル画像とを合成するのみでは、他者との差別化ができず、面白みに欠けるといった問題がある。即ち、顧客においては、オリジナリティーのあるポストカードやカレンダーを作成したいという要望がある。
【０００７】
しかしながら、テンプレートとデジタル画像とを合成することのみならず、様々な画像編集加工を駆使して、オリジナリティーのあるポストカードやカレンダーを作成するといったことは、その道に長けているデザイナーでなければ行い難い現状がある。
【０００８】
そこで、最近では、このような画像編集加工をデザイナーに一任して、作成されたデザインを用いてポストカードやカレンダーを作成する画像プリントサービスを提供するネットワークシステムが提案されている。
【０００９】
このようなネットワークシステムによれば、顧客は、自身では到底行うことができない画像編集加工を駆使したデザインを用いて、オリジナリティーのあるポストカードやカレンダーを作成することができる。
【００１０】
ところで、ポストカードなどの画像プリントを行う場合には、顧客は、画像サーバにアクセスして、所定の画面において、複数のテンプレートから所望するテンプレートを選択して、このテンプレートに合成するための郵便番号、住所、氏名、連絡先等の文字情報を所定のフォーマットに従って入力すると共に、これらに合成するための画像として、デジタル画像データをアップロードする必要がある。
【００１１】
しかしながら、ポストカードなどの画像プリントを行う場合には、そのポストカードのカテゴリ、即ち、そのポストカードが結婚の報告を行うものなのか、或いは、誕生の報告を行うものなのかなどに応じて、顧客が選択することが可能なテンプレートは、その構成が変わるのに対して、それらのテンプレートに合成する文字情報を入力するためのフォーマットは一様となっている。
【００１２】
【特許文献１】
特開２００１−３４６０２８号公報
（段落〔００４２〕‐〔００５２〕、第１図乃至第３図）
【００１３】
【発明が解決しようとする課題】
ところが、実際には、ポストカードのカテゴリによって、テンプレートに合成する文字情報は変化するため、一様なフォーマットであると、記入する部分と記入されない部分とが存在することになる。或いは、記入すればプリントされる部分と記入してもプリントされない部分とが存在することになる。
【００１４】
このように、カテゴリによって、テンプレートに合成する文字情報が変化するにも関わらず、一様なフォーマットを用いると、顧客にとっては、煩わしく、また、混乱を招く原因にもなる。即ち、顧客のニーズが、デザイナーに正確に伝わらない場合がある。
【００１５】
これにより、顧客の記入した文字情報に抜けや間違いが生じたり、デザイナーの作成したプリント画像に、文字情報の抜けや間違いが生じたりする問題が発生する。このような場合には、顧客は、デザイナーとメールなどにより、やり取りを行い、デザイナーは、再度、デザインの修正を行う必要が生じることになる。従って、プリント画像の完成までに多大な時間がかかってしまうという問題にもなる。
【００１６】
本発明は、上記事情を鑑みてなされたものであり、その目的とするところは、ポストカードやカレンダーなどの画像プリントサービスを提供する際に、画像プリントを行う対象物のカテゴリに応じて、文字情報を入力するフォーマットの構成を変更することで、不要な修正が行われることを回避して、効率良く画像プリントを行うことができる画像編集加工サービス提供システム、及び画像編集加工サービス提供方法を提供することにある。
【００１７】
【課題を解決するための手段】
上記課題を解決するために、請求項１記載の発明は、顧客により選択されたテンプレートに対して、前記顧客により供された画像を配置し、前記顧客により入力された文字情報を合成した上で、それらに対してデザイン的な編集加工を施すことでプリント画像を作成し、前記プリント画像を用いてポストカードやカレンダーを作成する画像プリントサービスを所定のサイトを介して提供するための画像編集加工サービス提供システムであって、ネットワークと、前記ネットワークに接続され、前記所定のサイトに対するアクセスに応じて、対応する画面を表示させる受発注サーバと、前記ネットワークに接続され、前記所定のサイトにアクセスすることで表示される画面において、前記テンプレートを選択し、前記文字情報をフォーマットに従って入力すると共に、前記テンプレートに合成する画像を配信することでデザイン注文を行うための顧客端末と、前記ネットワークに接続され、前記所定のサイトにアクセスすることで表示される画面において、前記顧客端末からのデザイン注文の受付を行うと共に、前記デザイン注文に基づくデザイン作成業務を発注するための受発注管理者端末と、前記ネットワークに接続され、前記所定のサイトにアクセスすることで表示される画面において、前記受発注管理者端末からのデザイン作成業務の受注を行うと共に、前記顧客端末において選択されたテンプレートに対して、前記顧客端末から配信された画像を配置し、前記所定の文字情報を合成した上で、それらに対してデザイン的な編集加工を施すことで前記プリント画像を作成するための作業者端末と、を含み、前記受発注サーバは、前記顧客端末より、前記所定のサイトにアクセスすることで表示される画面において、前記テンプレートが選択された場合に、前記テンプレートのカテゴリに応じた入力項目からなるフォーマットを、前記文字情報を入力するフォーマットとして表示することを特徴とする。
【００１８】
また、請求項２記載の発明は、請求項１記載の画像編集加工サービス提供システムであって、前記受発注サーバは、前記顧客端末より、前記所定のサイトにアクセスすることで表示される画面において、前記テンプレートが選択された場合に、前記テンプレートのカテゴリに応じた入力項目からなるフォーマットと、前記テンプレートのカテゴリによらない汎用の入力項目からなるフォーマットを、前記文字情報を入力するフォーマットとして選択可能に表示することを特徴とする。
【００１９】
また、請求項３記載の発明は、請求項１又は請求項２に記載の画像編集加工サービス提供システムであって、前記テンプレートのカテゴリは、結婚の報告を行うカテゴリ、誕生の報告を行うカテゴリ、転居の報告を行うカテゴリ、入学の報告を行うカテゴリ、成長の報告を行うカテゴリ、ペットの報告を行うカテゴリの何れかを含むことを特徴とする。
【００２０】
上記課題を解決するために、請求項４記載の発明は、顧客により選択されたテンプレートに対して、前記顧客により供された画像を配置し、前記顧客により入力された文字情報を合成した上で、それらに対してデザイン的な編集加工を施すことでプリント画像を作成し、前記プリント画像を用いてポストカードやカレンダーを作成する画像プリントサービスを所定のサイトを介して提供するための画像編集加工サービス提供システムであって、ネットワークと、前記ネットワークに接続され、前記所定のサイトに対するアクセスに応じて、対応する画面を表示させる受発注サーバと、前記ネットワークに接続され、前記所定のサイトにアクセスすることで表示される画面において、前記テンプレートを選択し、前記文字情報をフォーマットに従って入力すると共に、前記テンプレートに合成する画像を配信することでデザイン注文を行うための顧客端末と、前記ネットワークに接続され、前記所定のサイトにアクセスすることで表示される画面において、前記顧客端末からのデザイン注文の受付を行うと共に、前記デザイン注文に基づくデザイン作成業務を発注するための受発注管理者端末と、前記ネットワークに接続され、前記所定のサイトにアクセスすることで表示される画面において、前記受発注管理者端末からのデザイン作成業務の受注を行うと共に、前記顧客端末において選択されたテンプレートに対して、前記顧客端末から配信された画像を配置し、前記所定の文字情報を合成した上で、それらに対してデザイン的な編集加工を施すことで前記プリント画像を作成するための作業者端末と、を含み、前記受発注サーバは、前記顧客端末より、前記所定のサイトにアクセスすることで表示される画面において、前記テンプレートが選択された場合に、各入力項目が前記テンプレートにおける合成位置に応じた並び順となっているフォーマットを、前記文字情報を入力するフォーマットとして表示することを特徴とする。
【００２１】
また、請求項５記載の発明は、請求項４記載の画像編集加工サービス提供システムであって、前記受発注サーバは、前記顧客端末より、前記所定のサイトにアクセスすることで表示される画面において、前記テンプレートが選択された場合に、各入力項目が前記テンプレートにおける合成位置に応じた並び順となっているフォーマットと、各入力項目が前記テンプレートにおける合成位置によらない汎用の並び順となっているフォーマットを、前記文字情報を入力するフォーマットとして選択可能に表示することを特徴とする。
【００２２】
また、請求項６記載の発明は、請求項４又は請求項５に記載の画像編集加工サービス提供システムであって、前記各入力項目の並び順は、前記文字情報が縦書きで合成される場合には、前記各入力項目の前記テンプレートにおける合成位置が、右上から左下に向うにつれて後になるように決定されることを特徴とする。
【００２３】
また、請求項７記載の発明は、請求項４又は請求項５に記載の画像編集加工サービス提供システムであって、前記各入力項目の並び順は、前記文字情報が横書きで合成される場合には、前記各入力項目の前記テンプレートにおける合成位置が、左上から右下に向うにつれて後になるように決定されることを特徴とする。
【００２４】
また、請求項８記載の発明は、請求項１乃至請求項７の何れか一項に記載の画像編集加工サービス提供システムであって、前記受発注サーバは、前記各入力項目の入力欄として表示する欄に対して、前記文字情報が入力される毎に、次の欄を追加して表示することを特徴とする。
【００２５】
また、請求項９記載の発明は、請求項１乃至請求項８の何れか一項に記載の画像編集加工サービス提供システムであって、前記受発注サーバは、前記各入力項目の入力欄の数を増減させるための選択項目を、さらに表示することを特徴とする。
【００２６】
また、請求項１０記載の発明は、請求項１乃至請求項９の何れか一項に記載の画像編集加工サービス提供システムであって、前記受発注サーバは、前記各入力項目に関して、当該入力項目が前記文字情報として合成されるか否かを明示する情報を、さらに表示することを特徴とする。
【００２７】
また、請求項１１記載の発明は、請求項１乃至請求項１０の何れか一項に記載の画像編集加工サービス提供システムであって、前記受発注サーバは、前記各入力項目に関して、当該入力項目が入力必須の項目であるか否かに応じて、その表示態様を変化させて表示することを特徴とする。
【００２８】
また、請求項１２記載の発明は、請求項１乃至請求項１１の何れか一項に記載の画像編集加工サービス提供システムであって、前記受発注サーバは、前記選択されたテンプレートと前記フォーマットとを同一の画面上に表示し、前記テンプレートにおいて、前記フォーマットの各入力項目毎に当該入力項目の入力欄に入力される文字情報が合成される部分を表示すると共に、前記文字情報が入力される最中にある入力項目においては、当該入力項目の入力欄に入力される文字情報が合成される部分を強調して表示することを特徴とする。
【００２９】
上記課題を解決するために、請求項１３記載の発明は、顧客により選択されたテンプレートに対して、前記顧客により供された画像を配置し、前記顧客により入力された文字情報を合成した上で、それらに対してデザイン的な編集加工を施すことでプリント画像を作成し、前記プリント画像を用いてポストカードやカレンダーを作成する画像プリントサービスを所定のサイトを介して提供するための画像編集加工サービス提供方法であって、顧客端末より、前記所定のサイトにアクセスすることで表示される画面において、前記テンプレートを選択し、前記テンプレートのカテゴリに応じた入力項目からなるフォーマットに従って前記文字情報を入力すると共に、前記テンプレートに合成する画像を配信することでデザイン注文を行うステップと、受発注管理者端末において、前記所定のサイトにアクセスすることで表示される画面において、前記顧客端末からのデザイン注文の受付を行うと共に、前記デザイン注文に基づくデザイン作成業務を発注するステップと、作業者端末において、前記所定のサイトにアクセスすることで表示される画面において、前記受発注管理者端末からのデザイン作成業務の受注を行うと共に、前記顧客端末において選択されたテンプレートに対して、前記顧客端末から配信された画像を配置し、前記所定の文字情報を合成した上で、それらに対してデザイン的な編集加工を施すことで前記プリント画像を作成するステップと、を含むことを特徴とする。
【００３０】
また、請求項１４記載の発明は、請求項１３記載の画像編集加工サービス提供方法であって、前記顧客端末より、前記所定のサイトにアクセスすることで表示される画面において、前記テンプレートが選択された場合に、前記テンプレートのカテゴリに応じた入力項目からなるフォーマットと、前記テンプレートのカテゴリによらない汎用の入力項目からなるフォーマットから前記文字情報を入力するフォーマットを選択するステップを、さらに含むことを特徴とする。
【００３１】
また、請求項１５記載の発明は、請求項１３又は請求項１４に記載の画像編集加工サービス提供方法であって、前記テンプレートのカテゴリは、結婚の報告を行うカテゴリ、誕生の報告を行うカテゴリ、転居の報告を行うカテゴリ、入学の報告を行うカテゴリ、成長の報告を行うカテゴリ、ペットの報告を行うカテゴリの何れかを含むことを特徴とする。
【００３２】
上記課題を解決するために、請求項１６記載の発明は、顧客により選択されたテンプレートに対して、前記顧客により供された画像を配置し、前記顧客により入力された文字情報を合成した上で、それらに対してデザイン的な編集加工を施すことでプリント画像を作成し、前記プリント画像を用いてポストカードやカレンダーを作成する画像プリントサービスを所定のサイトを介して提供するための画像編集加工サービス提供方法であって、顧客端末より、前記所定のサイトにアクセスすることで表示される画面において、前記テンプレートを選択し、各入力項目が前記テンプレートにおける合成位置に応じた並び順となっているフォーマットに従って前記文字情報を入力すると共に、前記テンプレートに合成する画像を配信することでデザイン注文を行うステップと、受発注管理者端末より、前記所定のサイトにアクセスすることで表示される画面において、前記顧客端末からのデザイン注文の受付を行うと共に、前記デザイン注文に基づくデザイン作成業務を発注するステップと、前記作業者端末より、前記所定のサイトにアクセスすることで表示される画面において、前記受発注管理者端末からのデザイン作成業務の受注を行うと共に、前記顧客端末において選択されたテンプレートに対して、前記顧客端末から配信された画像を配置し、前記所定の文字情報を合成した上で、それらに対してデザイン的な編集加工を施すことで前記プリント画像を作成するステップと、を含むことを特徴とする。
【００３３】
また、請求項１７記載の発明は、請求項１６記載の画像編集加工サービス提供方法であって、前記顧客端末より、前記所定のサイトにアクセスすることで表示される画面において、前記テンプレートが選択された場合に、前記各入力項目が前記テンプレートにおける合成位置に応じた並び順となっているフォーマットと、各入力項目が前記テンプレートにおける合成位置によらない汎用の並び順となっているフォーマットから前記文字情報を入力するフォーマットを選択するステップを、さらに含むことを特徴とする。
【００３４】
また、請求項１８記載の発明は、請求項１６又は請求項１７に記載の画像編集加工サービス提供方法であって、前記各入力項目の並び順は、前記文字情報が縦書きで合成される場合には、前記各入力項目の前記テンプレートにおける合成位置が、右上から左下に向うにつれて後になるように決定されることを特徴とする。
【００３５】
また、請求項１９記載の発明は、請求項１６又は請求項１７に記載の画像編集加工サービス提供方法であって、前記各入力項目の並び順は、前記文字情報が横書きで合成される場合には、前記各入力項目の前記テンプレートにおける合成位置が、左上から右下に向うにつれて後になるように決定されることを特徴とする。
【００３６】
また、請求項２０記載の発明は、請求項１３乃至請求項１９の何れか一項に記載の画像編集加工サービス提供方法であって、前記各入力項目の入力欄として表示する欄に対して、前記文字情報が入力される毎に、次の欄を追加して表示することを特徴とする。
【００３７】
また、請求項２１記載の発明は、請求項１３乃至請求項２０の何れか一項に記載の画像編集加工サービス提供方法であって、前記各入力項目の入力欄の数を増減させるための選択項目を、さらに表示することを特徴とする。
【００３８】
また、請求項２２記載の発明は、請求項１３乃至請求項２１の何れか一項に記載の画像編集加工サービス提供方法であって、前記各入力項目に関して、当該入力項目が前記文字情報として合成されるか否かを明示する情報を、さらに表示することを特徴とする。
【００３９】
また、請求項２３記載の発明は、請求項１３乃至請求項２２の何れか一項に記載の画像編集加工サービス提供方法であって、前記各入力項目に関して、当該入力項目が入力必須の項目であるか否かに応じて、その表示態様を変化させて表示することを特徴とする。
【００４０】
また、請求項２４記載の発明は、請求項１３乃至請求項２３の何れか一項に記載の画像編集加工サービス提供方法であって、前記選択されたテンプレートと前記フォーマットとを同一の画面上に表示し、前記テンプレートにおいて、前記フォーマットの各入力項目毎に当該入力項目の入力欄に入力される文字情報が合成される部分を表示すると共に、前記文字情報が入力される最中にある入力項目においては、当該入力項目の入力欄に入力される文字情報が合成される部分を強調して表示することを特徴とする。
【００４１】
【発明の実施の形態】
以下、本発明に係る画像編集加工サービス提供システム、及び画像編集加工サービス提供方法の好適な実施形態の一例について、図面を参照しながら具体的に説明する。
【００４２】
［画像編集加工サービス提供システムの全体構成］
まず、本実施形態における画像編集加工サービス提供システムの全体構成について、図１を参照しながら説明する。
【００４３】
図１に、本実施形態における画像編集加工サービス提供システムの全体構成を示す。図１に示すように、当該画像編集加工サービス提供システムは、受発注サーバ１と、顧客端末２と、作業端末３と、受発注管理端末４とを含み構成されており、各々がネットワークＮを介して通信可能に接続されている。尚、受発注サーバ１、顧客端末２、作業端末３及び受発注管理端末４とネットワークＮとの接続は、専用回線、或いは、公衆回線のような有線接続であっても良い。或いは、通信回線等を通じた無線接続であっても良い。
【００４４】
このような構成において、受発注サーバ１は、ネットワークＮを介して、デザイン注文の受付、デザイン注文に基づくデザイン作成作業の発注及び受発注管理を行うと共に、デザインに供される画像データや文字情報の閲覧及び保管、顧客情報の管理など、顧客に画像プリントサービスを提供するための情報を有する。
【００４５】
より詳細には、受発注サーバ１は、後述するデザイン注文サイトにおいて表示される種々の画面を構成する画像データ、及び、それらを表示するためのプログラムを保有しており、当該受発注サーバ１が、このプログラムに従って画像データを表示することで、デザイン注文サイトにおいては、種々の画面が表示され、顧客端末２、作業者端末３、或いは、受発注管理者端末４においては、このデザイン注文サイトにおいて表示される種々の画面において、所定の操作を行うことで、デザイン注文の受付、デザイン注文に基づくデザイン作成作業の発注、受発注管理、デザインに供される画像データや文字情報の閲覧及び保管、顧客情報の管理などを行うことができるようになっている。尚、この詳細については、後述する。
【００４６】
また、顧客端末２は、パーソナルコンピュータ、ＰＤＡなどの携帯情報端末、携帯電話等、画像データと文字情報の送受信が可能な端末であって、顧客は、当該顧客端末２を用いて、デザイン注文サイトにアクセスして、このデザイン注文サイトにおいて表示される所定画面において、デザイン注文情報やデザイン決定情報を入力し、デザインに供する画像を配信することで、受発注サーバ１に対してデザイン注文を行う。また、デザイン注文サイトにおいて表示される所定画面において、プリント情報を入力することで、受発注サーバ１に対するプリント注文を行う。
【００４７】
尚、此処に言うデザイン注文情報とは、例えば画像プリントを行う対象物、例えばポストカード、カレンダーに関する情報や、画像プリントを行う色、例えばカラー、モノクロ、セピアに関する情報等のことである。また、此処に言うデザイン決定情報とは、例えばテンプレートの特定番号、コメント内容、デザイン面に記載する個人情報等のことである。また、テンプレートは、文字情報やデザインに供する画像等の位置関係を規定したものであり、予め複数種類が準備され、顧客がその特定番号を選択することで特定される。但し、顧客は、文字情報やデザインに供する画像の位置関係を自由にレイアウトすることを選択しても良い。また、此処に言うプリント情報とは、例えば画像プリントの成されたポストカードやカレンダーを送付する宛先人の氏名、住所、連絡先等に関する情報のことである。
【００４８】
尚、デザインに供される画像としては、写真画像やイラスト画像等があるが、これらは、当該顧客端末２が例えばパーソナルコンピュータや携帯情報端末である場合には、これにデジタルカメラを接続したり、画像データを保持する記録媒体をセットすることで取得されるものとする。或いは、スキャナ等のインターフェースにより取得されるものとする。また、当該顧客端末２がデジタルカメラを具備する携帯電話である場合には、デジタルカメラの撮像により取得されるものとする。また、当該顧客端末２がデジタルカメラを具備しない携帯電話の場合には、他の電子機器から通信により取得されるものとする。因みに、デザインに供する画像は、１枚であっても複数枚であっても良い。
【００４９】
また、作業者端末３は、パーソナルコンピュータ等、画像データと文字情報の送受信が可能な端末であって、デザイナーは、当該作業者端末３を用いて、デザイン注文サイトにアクセスして、このデザイン注文サイトにおいて表示される所定画面において、受発注サーバ１からのデザイン作成業務の発注に基づくデザイン作成作業を行う。具体的には、画像から不要な背景を取り除く、それらの画像を所望の位置に配置する、それらの画像にボカシやグラデーションを施す、それらの画像にコメント内容、個人情報等を合成するといった画像編集加工や、赤目を修正する、ゴミを除去する、色彩を調整するといった画像修正加工を行う。尚、当該作業者端末３は、デザイン事務所に配置されることとするが、ミニラボ、或いは、大ラボ等の店舗に配置されることにしても良い。
【００５０】
また、受発注管理者端末４は、パーソナルコンピュータ等、画像データと文字情報の送受信が可能な端末であって、受発注管理者は、当該受発注端末４を用いて、デザイン注文サイトにアクセスして、このデザイン注文サイトにおいて表示される所定画面において、受発注サーバ１を介したデザイン注文の受付、デザイン注文に基づくデザイン作成作業の発注及び受発注管理、デザイン注文の作業者、即ち、デザイナーへのデザイン作成業務の振り分け及びプリント注文の受付等を行う。
【００５１】
［画像編集加工サービス］
（画像編集加工サービスの流れ）
次に、当該画像編集加工サービス提供システムにおける画像編集加工サービスの流れについて、図２の流れに沿って、図３を参照しながら説明する。
【００５２】
図２に、当該画像編集加工サービス提供システムの画像編集加工サービスの概略を説明するためのフローチャートを示す。また、図３に、当該画像編集加工サービス提供システムを構成する受発注サーバ１、顧客端末２、作業者端末３及び受発注管理者端末４間における情報の授受を説明するためのシーケンス図を示す。
【００５３】
図２に示すように、顧客は、まず、顧客端末２においてブラウザソフトを立ち上げ（Ｓ０１）、デザイン注文サイトにアクセスする（Ｓ０２）。さらに、このデザイン注文サイトにおいて、ユーザＩＤを入力して、これを受発注サーバ１に送信する。尚、このデザイン注文サイトは、受発注管理者によって運営され、受発注サーバ１において管理されるものである。また、ユーザＩＤは、このデザイン注文サイトを利用する顧客に対して配布され、受発注サーバ１において登録されるものである。
【００５４】
受発注サーバ１では、送信されたユーザＩＤと、予め登録されたユーザＩＤとを照合して、顧客のユーザ認証を行う（Ｓ０３）。
【００５５】
顧客端末２では、受発注サーバ１からのユーザ認証を受け取り、顧客は、デザイン注文情報とデザイン決定情報を入力して、さらに、デザインに供する画像を添付して、受発注サーバ１に対して配信する（Ｓ０４）。尚、当該顧客がデザイン注文情報とデザイン決定情報を入力する工程は、本発明の特徴部分であり、その詳細については、後述することとする。
【００５６】
受発注管理者端末４では、受発注サーバ１を介して、受発注管理者が、このデザイン注文が、顧客がテンプレートを使用せずに自由にレイアウトした特殊注文であるか否かの判断を行い（Ｓ０５）、ここで、特殊注文であった場合には、特殊注文での見積もりを行う（Ｓ０６）。また、テンプレートを使用した通常注文であった場合には、通常注文での見積もりを行う（Ｓ０７）。さらに、受発注管理者が、そのデザイン注文の内容と見積金額とを顧客端末２に対して配信する。
【００５７】
顧客端末２では、顧客は、デザイン注文の内容と見積金額とを閲覧して（Ｓ０８）、デザイン注文を行うか否かの判断を行う（Ｓ０９）。ここで、顧客は、デザイン注文の内容と見積金額に問題がない場合に、デザイン注文を行う（Ｓ１０）。
【００５８】
受発注管理者端末４では、受発注管理者が、顧客端末２に対して注文確認メールを配信すると共に、受発注サーバ１を介して、デザイン注文サイトの受発注管理画面にアクセスすることで、デザイン注文の受付及び受発注管理を行う。受発注管理者は、さらに、デザイン作成作業の振り分けを行うか否かを判断して（Ｓ１１）、ここで、デザイン作業の振り分けを行わない場合には、作業者端末３に対して、注文受付メールを配信する。
【００５９】
作業者端末３では、デザイナーが、デザイン注文サイトのデザイン作成画面へアクセスすることで、デザイン注文に基づくデザイン作成業務の発注、受注を行う（Ｓ１２）。さらに、当該デザイン作成画面においてデザイン作成作業を行う（Ｓ１３）。
【００６０】
ところで、上述のＳ１１において、デザイン作業の振り分けを行う場合には、受発注管理者は、例えば特殊注文、通常注文といった注文別にデザイン作業を振り分け、或いは、デザインに用いる画像の不要物の除去、赤目の修正といった画像編集加工の別にデザイン作業を切り分けて、個々の作業者端末３に対して、注文受付メールを配信する。
【００６１】
個々の作業者端末３では、デザイナーが、デザイン注文サイトへアクセスすることで、このデザイン注文に基づくデザイン作成業務の発注、受注を行う（Ｓ１４）。デザイナーは、さらに、当該作業者端末３においてデザイン作成作業を行う（Ｓ１５）。そして、デザイン作成作業が終了した場合には、作成したデザイン画像を受発注サーバ１に対して配信する。
【００６２】
受発注管理者端末４では、受発注管理者が、受発注サーバ１を介して、作成されたデザイン画像を受信して、これを合成する作業を行う（Ｓ１６）。受発注管理者は、さらに、合成したデザイン画像を閲覧して（Ｓ１７）、デザイナーが作成したデザイン画像の仕上がりが顧客のデザイン注文の希望通りになっているか否かを確認して、ここで問題がある場合には、校正を行う（Ｓ１８）。そして、点検、校正が終了すると（Ｓ１９）、受発注管理者は、顧客端末２に対して、デザイン作成終了確認メールを配信する。
【００６３】
顧客端末２では、デザイン作成終了確認メールを受信して、顧客は、デザイン注文サイトのデザイン確認画面へアクセスすることで、作成されたデザイン画像の閲覧を行い（Ｓ２０）、その仕上がりが自身のデザイン注文の希望通りになっているか否かを確認する。ここで問題がなければ、受発注サーバ１に対して、プリント注文を行う（Ｓ２１）。
【００６４】
受発注管理者端末４では、受発注管理者が、受発注サーバ１を介して、顧客からのプリント注文を受け付けて、デザイン画像をポストカードやカレンダーにプリントする次工程へと移行する（Ｓ２２）。さらに、画像プリントの成されたポストカードやカレンダーをデザイン注文情報に基づき、該当する宛先人に対して送付する。
【００６５】
（表示画面の流れ）
次に、本発明の特徴部分である、上述した顧客端末２におけるデザイン注文に関する表示画面の流れについて、図４乃至図９を参照しながら説明する。
【００６６】
図４に、顧客がデザイン注文を行う際の対象物選択画面１０を示す。顧客は、当該対象物選択画面１０において、例えばＷｅｄｄｉｎｇ  ＰｏｓｔＣａｒｄ項目１０ａ、Ｂａｂｙ  ＰｏｓｔＣａｒｄ項目１０ｂ、Ｐｅｔ  ＰｏｓｔＣａｒｄ項目１０ｃ、又は、Ｃａｌｅｎｄａｒ項目１０ｄの何れかをクリックすることで、画像プリントサービスの対象物であるポストカード、或いは、カレンダーと、ポストカードの場合には、そのカテゴリを特定する。因みに、このカテゴリとしては、結婚の報告を行う結婚カテゴリ、誕生の報告を行う誕生カテゴリ、転居の報告を行う転居カテゴリ、入学の報告を行う入学カテゴリ、成長の報告を行う成長カテゴリ、ペットの報告（誕生や成長等）を行うカテゴリ等がある。
【００６７】
ここで、顧客が、例えばＷｅｄｄｉｎｇ  ＰｏｓｔＣａｒｄ項目１０ａをクリックした場合には、図５に示すような、結婚カテゴリに対応したテンプレート選択画面２０が表示される。顧客は、当該テンプレート選択画面２０において、例えば特定番号ＨＷ−０２５のテンプレートをクリックすることで、所望するテンプレート２０ａを特定する。
【００６８】
すると、図６に示すような、結婚カテゴリに対応した注文情報入力画面３０が表示される。尚、当該注文情報入力画面３０の表示欄３０ｍには、テンプレート選択画面２０において特定されたテンプレートが表示される。
【００６９】
顧客は、まず、当該注文情報入力画面３０において、選択項目３０ａ〜３０ｃの何れかをクリックすることで、所望する画像プリントのカラー、例えばカラー、モノクロ、セピアを特定する。そして、文字情報を入力するためのフォーマットである文字情報入力欄３０ｄの挨拶文（主文）項目３０ｅにおいて、所望の挨拶文をクリックすることで、これを特定する。或いは、所望の挨拶文を入力することで、これを特定する。また、挨拶文（副文）項目３０ｆにおいて、挙式日や挙式場所を入力することで、これを特定する。尚、この挨拶文（副文）項目３０ｆは、結婚カテゴリに対応した特有の項目となっている。
【００７０】
顧客は、また、印刷住所項目３０ｇにおいて、郵便番号及び住所を入力する。また、印刷氏名項目３０ｈにおいて、性、名を入力する。また、よみかた又はふりがなを選択して入力する。また、必要に応じてローマ字を入力する。尚、名を入力する欄、よみかた又はふりがなを選択して入力する欄、及び、ローマ字を入力する欄は、最初の時点では、一列のみが表示されるものとし、その一列に名等が入力された場合に、次列が自動的に表示されるものとする。或いは、列数を追加するボタンと削除するボタンとを設けて、顧客が必要に応じて、列数の増減を行うこととする。これは、上述した欄は、顧客（家族の構成人数等）によって必要とされる列数がことなるため、これを必要に応じて一列ずつ表示していくことで、顧客が不要な列に惑わされることを回避するためである。また、よみかたとふりがなの選択欄には、各々（プリントしない）、（プリントする）の文字を記載して、顧客がよみかたを選択して入力した場合には、そのよみかたは印刷されないことを明示する。一方、顧客がふりがなを選択して入力した場合には、そのふりがなは印刷されることを明示する。これにより、顧客は、入力したよみかたは印刷されず、入力したふりがなは印刷されるということを明白に判断することができる。また、ローマ字を入力する欄は、入力必須の欄ではないため、例えば、他の入力必須の欄を実線の枠で囲む場合には、これを点線の枠で囲み、また、他の入力必須の欄を太線や赤線の枠で囲む場合には、これを黒線の枠で囲むこととする。これにより、顧客は、入力必須の欄と、入力必須でない欄とを明白に区別することができる。
【００７１】
顧客は、また、連絡先項目３０ｉにおいて、電話番号、ｆａｘ番号、Ｅ−ｍａｉｌアドレス等の連絡先を入力する。そして、要望項目３０ｊにおいて、デザイナーへのコメントを入力する。さらに、顧客情報項目３０ｋにおいて、住所、名前、連絡先等の顧客情報を入力する。因みに、この顧客情報とは、画像プリントの成されたポストカードやカレンダーを送付する送付先に関する情報のことである。尚、この顧客情報項目３０ｋにおいては、注文情報入力画面３０の印刷住所項目３０ｇ、印刷氏名項目３０ｈ、連絡先項目３０ｉにおいて入力される住所、名前、連絡先と重複する場合には、それらが自動的に入力されることとしても良い。また、記入不要と表示することとしても良い。因みに、この要望項目３０ｊに入力されるコメントや、顧客情報項目３０ｋに入力される注文情報は、印刷されるものではない。
【００７２】
ところで、顧客が、文字情報入力欄３０ｄの挨拶文（主文）項目３０ｅ、挨拶文（副文）項目３０ｆ、印刷氏名項目３０ｈ及び連絡先項目３０ｉにおいて、入力、或いは、選択を行っている際には、表示画面３０ｍに表示されるテンプレートにおいては、対応する部分が強調表示されることとする。例えば、文字情報入力欄３０ｄの挨拶文（主文）項目３０ｅにおいて、挨拶文（主文）が入力されている際には、表示欄３０ｍにおいては、その挨拶文（主文）が配置されている部分が強調表示されることになる。強調表示の具体例としては、例えば、その部分を太枠によって囲んだり、点滅表示したりすることを挙げることができる。これにより、顧客は、自分が入力している項目が、ポストカードのどの部分に印刷されるのかを明確にすることができる。因みに、表示画面３０ｍに表示されるテンプレートにおいては、文字情報入力欄３０ｄの挨拶文（主文）項目３０ｅ、挨拶文（副文）項目３０ｆ、印刷氏名項目３０ｈ及び連絡先項目３０ｉにおいて、入力、或いは、選択された内容が、随時、反映されて表示されることとしても良いし、また、サンプルの文字情報が表示されていることとしても良い。
【００７３】
また、文字情報入力欄３０ｄの挨拶文（主文）項目３０ｅ、挨拶文（副文）項目３０ｆ、印刷氏名項目３０ｈ、連絡先項目３０ｉの並び順は、ポストカードを作成する際の記入順となっている。具体的には、文字情報が縦書きである場合には、表示画面３１ｍに表示されるテンプレートにおいて、各項目が合成される位置がポストカードの右上から左下に向うにつれて後になるように決定される。また、文字情報が横書きである場合には、表示画面３１ｍに表示されるテンプレートにおいて、各項目が合成される位置がポストカードの左上から右下に向うにつれて後になるように決定される。これにより、顧客は違和感なく入力操作を行うことができ、記入漏れや記入間違い等を回避することができる。
【００７４】
また、印刷の対象となる文字情報入力欄３０ｄの挨拶文（主文）項目３０ｅ、挨拶文（副文）項目３０ｆ、印刷氏名項目３０ｈ、連絡先項目３０ｉと、非印刷対象である要望項目３０ｊ、顧客情報項目３０ｋとを区別して配置することで、デザイナーに対しては、印刷する部分と印刷しない部分とを明白に伝達することができる。
【００７５】
また、図４に示す対象物選択画面１０において、顧客が、例えばＢａｂｙ  ＰｏｓｔＣａｒｄ項目１０ｂをクリックした場合には、図７に示すような、誕生カテゴリに対応したテンプレート選択画面２１が表示される。顧客は、当該テンプレート選択画面２１において、例えば特定番号ＨＢ−０２５のテンプレートをクリックすることで、所望するテンプレート２１ａを特定する。
【００７６】
すると、図８に示すような、誕生カテゴリに対応した注文情報入力画面３１が表示される。因みに、当該注文情報入力画面３１の表示欄３１ｍには、テンプレート選択画面２１において特定されたテンプレートが表示される。
【００７７】
顧客は、まず、当該注文情報入力画面３１において、選択項目３１ａ〜３１ｃの何れかをクリックすることで、所望する画像プリントのカラー、例えばカラー、モノクロ、セピアを特定する。そして、文字情報を入力するためのフォーマットである文字情報入力欄３１ｄの挨拶文（主文）項目３１ｅにおいて、所望の挨拶文をクリックすることで、これを特定する。或いは、所望の挨拶文を入力する。また、挨拶文（副文）項目３１ｆにおいて、成年月日、体重、身長等を入力することで、これを特定する。尚、この挨拶文（副文）項目３１ｆは、誕生カテゴリに対応した特有の項目となっている。
【００７８】
顧客は、また、印刷住所項目３１ｇにおいて、郵便番号及び住所を入力する。また、印刷氏名項目３１ｈにおいて、性、名を入力する。また、よみかた又はふりがなを選択して入力する。また、必要に応じてローマ字を入力する。尚、名を入力する欄、よみかた又はふりがなを選択して入力する欄、及び、ローマ字を入力する欄は、最初の時点では、一列のみが表示されるものとし、その一列に名等が入力された場合に、次列が自動的に表示されるものとする。或いは、列数を追加するボタンと削除するボタンとを設けて、顧客が必要に応じて、列数の増減を行うこととする。これは、上述した欄は、顧客（家族の構成人数等）によって必要とされる列数がことなるため、これを必要に応じて一列ずつ表示していくことで、顧客が戸惑うことを回避するためである。また、よみかたとふりがなの選択欄には、各々（プリントしない）、（プリントする）の文字を記載して、顧客がよみかたを選択して入力した場合には、そのよみかたは印刷されないことを明示する。一方、顧客がふりがなを選択して入力した場合には、そのふりがなは印刷されることを明示する。これにより、顧客は、入力したよみかたは印刷されず、入力したふりがなは印刷されるということを明白に判断することができる。また、ローマ字を入力する欄は、入力必須の欄ではないため、例えば、他の入力必須の欄を実線の枠で囲む場合には、これを点線の枠で囲み、また、他の入力必須の欄を太線や赤線の枠で囲む場合には、これを黒線の枠で囲むこととする。これにより、顧客は、入力必須の欄と、入力必須でない欄とを明白に区別することができる。
【００７９】
顧客は、また、連絡先項目３１ｉにおいて、電話番号、ｆａｘ番号、Ｅ−ｍａｉｌアドレス等の連絡先を入力する。そして、要望項目３１ｊにおいて、デザイナーへのコメントを入力する。さらに、顧客情報項目３１ｋにおいて、住所、名前、連絡先等の顧客情報を入力する。因みに、この顧客情報とは、画像プリントの成されたポストカードやカレンダーを送付する送付先に関する情報のことである。尚、この顧客情報項目３１ｋにおいては、注文情報入力画面３１の印刷住所項目３１ｇ、印刷氏名項目３１ｈ、連絡先項目３１ｉにおいて入力される住所、名前、連絡先と重複する場合には、それらが自動的に入力されることとしても良い。また、記入不要と表示することとしても良い。因みに、この要望項目３１ｊに入力されるコメントや、顧客情報項目３１ｋに入力される注文情報は、印刷されるものではない。
【００８０】
ところで、顧客が、文字情報入力欄３１ｄの挨拶文（主文）項目３１ｅ、挨拶文（副文）項目３１ｆ、印刷氏名項目３１ｈ及び連絡先項目３１ｉにおいて、入力、或いは、選択を行っている際には、表示画面３１ｍにおいては、対応する部分が強調表示されることとする。例えば、文字情報入力欄３１ｄの挨拶文（主文）項目３１ｅにおいて、挨拶文（主文）が入力されている際には、表示欄３１ｍにおいては、その挨拶文（主文）が配置されている部分が強調表示されることになる。強調表示の具体例としては、例えば、その部分を太枠によって囲んだり、点滅表示したりすることを挙げることができる。これにより、顧客は、自分が入力している項目が、ポストカードのどの部分に印刷されるのかを明確にすることができる。因みに、表示画面３１ｍに表示されるテンプレートにおいては、文字情報入力欄３１ｄの挨拶文（主文）項目３１ｅ、挨拶文（副文）項目３１ｆ、印刷氏名項目３１ｈ及び連絡先項目３１ｉにおいて、入力、或いは、選択された内容が、随時、反映されて表示されることとしても良いし、また、サンプルの文字情報が表示されていることとしても良い。
【００８１】
また、文字情報入力欄３１ｄの挨拶文（主文）項目３１ｅ、挨拶文（副文）項目３１ｆ、印刷氏名項目３１ｈ、連絡先項目３１ｉの並び順は、ポストカードを作成する際の記入順となっている。具体的には、文字情報が縦書きである場合には、表示画面３１ｍに表示されるテンプレートにおいて、各項目が合成される位置がポストカードの右上から左下に向うにつれて後になるように決定される。また、文字情報が横書きである場合には、表示画面３１ｍに表示されるテンプレートにおいて、各項目が合成される位置がポストカードの左上から右下に向うにつれて後になるように決定される。これにより、顧客は違和感なく入力操作を行うことができ、記入漏れや記入間違い等を回避することができる。
【００８２】
また、印刷の対象となる文字情報入力欄３１ｄの挨拶文（主文）項目３１ｅ、挨拶文（副文）項目３１ｆ、印刷氏名項目３１ｈ、連絡先項目３１ｉと、非印刷対象である要望項目３１ｊ、顧客情報項目３１ｋとを区別して配置することで、デザイナーに対しては、印刷する部分と印刷しない部分とを明白に伝達することができる。
【００８３】
ところで、上述した注文情報入力画面３０、３１においては、文字情報入力欄３０ｄ、３１ｄにおける印刷される項目と印刷されない項目とを明確に区別する目的で、図９に示すチェック表３５を加えて表示することとしても良い。因みに、チェック表３５のプリント項目においては、●とされた方が選択されているものとしており、例えば、あり●とされた項目は、その項目が印刷されることを表している。また、なし●とされた項目は、その項目が印刷されないことを表している。
【００８４】
以下、図４に示す対象物選択画面１０において、結婚カテゴリが選択された場合を例に挙げて説明する。注文情報入力画面３０における入力が終了すると、図１０に示すようなデザイン決定画面４０が表示される。顧客は、当該デザイン決定画面４０において、テンプレート選択画面２０及び注文情報入力画面３０において特定した情報の確認を行う。即ち、当該デザイン決定画面４０に表示される画像は、テンプレート選択画面２０において特定したテンプレートが、注文情報入力画面３０において特定したカラーにて表示されたものとなっている。顧客は、確認の終了後、確認項目４０ａをクリックする。
【００８５】
すると、図１１に示すような画像アップロード画面５０が表示される。顧客は、当該画像アップロード画面５０において、参照項目５０ａをクリックすることで、デザインに供する画像が格納されるフォルダ５０ｂを選択して、その画像ファイルを指定する。これにより、デザインに供する画像のアップロードが行われる。
【００８６】
すると、図１２に示すような見積確認画面６０が表示される。顧客は、当該見積確認画面６０において、デザインに用いるテンプレート６０ａ、デザインに供される画像６０ｂ、印字内容であるコメント６０ｃ、デザイン面に記載する個人情報６０ｄ、見積もり料金６０ｅ、デザイン完成予定日６０ｆの確認を行う。顧客は、確認の終了後、デザイン注文を行う。
【００８７】
次に、上述した受発注管理者端末４における表示画面の流れについて、図１３乃至図１８を参照しながら説明する。
【００８８】
図１３に、デザイン作成作業の発注及び受発注管理を行うためのデザイン進行状況確認画面７０を示す。受発注管理者は、当該デザイン進行状況確認画面７０において、振り分け欄７０ｂをクリックすることで、図１４に示すデザイン振り分け画面８０を表示することができる。受発注管理者は、さらに、当該デザイン振り分け画面８０において、詳細欄８０ａをクリックすることで、図１５に示す注文詳細情報画面９０を表示することができる。受発注管理者は、さらに、当該注文詳細情報画面９０において、デザイン情報（画像）の欄９０ａをクリックすることで、図１６に示すデザイン情報画面１００を表示することができる。尚、当該デザイン情報画面１００においては、注文詳細情報画面９０に表示を戻すための注文書欄１００ａや、デザインに供される画像１００ｃを一覧表示する一覧表１００ｂ等が表示される。
【００８９】
このような構成において、顧客から新規にデザイン注文があった場合には、図１４に示すデザイン振り分け画面８０の新規注文情報欄８０ｂにおいて、その注文内容が表示される。受発注管理者は、その新規のデザイン注文を担当するデザイナーを作業者一覧表８０ｃの中から選択して、該当する選択項目８０ｄをクリックすることで特定する。すると、図１３に示すデザイン進行状況確認画面７０においては、デザイン依頼日欄の振り分け項目７０ｂに替わり、そのデザイン依頼日が表示される。尚、図１４に示すデザイン振り分け画面８０においては、この他、デザイン作成完了時期８０ｅ、デザインに関するコメント８０ｆの欄等も設けられている。また、作業者一覧表８０ｃにおいては、デザイナーの氏名８０ｃ１、作成中件数８０ｃ２、修正中件数８０ｃ３、作成中修正中合計件数８０ｃ４、評価８０ｃ５、平均修正回数８０ｃ６、詳細情報８０ｃ７等の欄が設けられ、各デザイナーに対応する情報が表示される。
【００９０】
因みに、受発注管理者が、この作業者一覧表８０ｃの詳細情報８０ｃ７項目をクリックすると、図１７に示すスキル評価画面１１０が表示される。当該スキル評価画面１１０においては、各評価項目に関して、統計的及び客観的な評価が自動的に行われる。因みに、各評価項目に関しては、重み付けが成されており、その総合評価は、図１４に示すデザイン振り分け画面８０の評価８０ｃ５の欄において、例えばＡＡ、Ａ、ＢＢ、Ｂのように段階的に表示される。
【００９１】
さらに、当該スキル評価画面１１０において、例えば平均納期及び作業状況により作業の負担度を示すことで、受発注管理者は、上位に表示されているデザイナーを最適として、デザイン注文の振り分けを行うことができる。また、過去の修正回数等から直近の内容を比較することで、そのデザイナーの技術の習熟傾向が明確になり、これを総合評価に加味することができる。また、特殊注文、通常注文等によるデザインの種類、難易度等を登録することにより、デザイン注文毎に最適な技術を有するデザイナーへ発注を行うことが可能になる。また、修正回数や、納期及び納期遅延等が増加傾向にある場合には、評価８０ｃ５の欄に警告マークを表示することで、受発注管理者及びデザイナーに警告を発することができる。
【００９２】
図１８に、受発注管理者画面１２０を示す。受発注管理者は、当該受発注管理者画面１２０の注文番号切替ボタン１２０ａにおいて、切り替えアップ操作又は切り替えダウン操作を行うことで、注文番号により特定されるデザイン注文の情報を表示画面１２０ｈに表示することができる。また、写真原稿ボタン１２０ｃをクリックすることで、表示画面１２０ｈに、デザインに供される画像１２０ｉを表示することができる。また、写真原稿点検ボタン１２０ｄをクリックすることで、顧客から配信され、デザインに供される画像の状態の点検や、肖像権、公序良俗等に関する点検を行うことができる。尚、この画像の状態の点検は、所望の画像１２０ｉをクリックすることで、その画素数が表示されて、受発注管理者が、それがデザインに適した画素数であるか否かを確認することで行われることとする。因みに、この画素数の判断は、判別基準画素数を表示した上で、受発注管理者が目視にて行うこととしても良いし、確認用のソフトを用いて自動的に行い、その判断結果が表示されるようにしても良い。また、肖像権に関する点検は、受発注管理者が目視にて行うこととしても良いし、顔判定用のソフトを用いて自動的に行い、その判断結果が表示されるようにしても良い。また、公序良俗に関する点検は、猥褻画像、差別言葉等の観点から、受発注管理者が目視にて行うものとする。
【００９３】
ところで、成果物ボタン１２０ｅは、デザイン注文の発注前においてはブランクになっており、デザイン注文の発注が行われると表示されるものとする。受発注管理者は、当該成果物ボタン１２０ｅをクリックすることで、デザイナーが作成したデザインを表示画面１２０ｈに表示して、その確認を行うことができる。また、受発注管理者は、校正ボタン１２０ｆをクリックすることで、表示画面１２０ｈに表示される、デザイナーが作成したデザインの仕上がりが、顧客のデザイン注文の通りになっているか否かを確認して、画像修正等の校正を行うことができる。また、受発注管理者は、メールボタン１２０ｇをクリックすることで、メール画面を表示して、デザイン注文を受注する場合には、デザイナーに対してデザイン作成業務を依頼する旨（注文受付メール）を送信して、デザイン注文を受注できない場合には、顧客に対してその旨を送信することができる。また、デザイン注文を受注した後、デザイナーによるデザインが完成した場合には、顧客に対してその旨（デザイン作成終了確認メール）を送信することができる。
【００９４】
次に、上述した顧客端末２におけるプリント注文に関する表示画面の流れについて、図１９を参照しながら説明する。
【００９５】
図１９に、顧客がプリント注文を行う際のプリント注文画面１３０を示す。例えば画像プリントの成されたポストカードやカレンダーの受け取り方法として郵送を選択した場合には、顧客は、当該プリント注文画面１３０において、その配送先に関する情報として、宛先人の名前、郵便番号、住所、電話番号、支払方法等を該当する欄１３０ａ〜１３０ｅに入力する。尚、欄１３０ａ〜１３０ｄに入力されるデータは、注文情報等に基づいて自動的に入力されることとしても良い。この場合、宛先人の住所の欄１３０ｃに関しては変更することができるものとする。顧客は、さらに、「次へ」ボタン１３０ｆをクリックすることで、図２０に示す注文内容確認画面１４０を表示させる。顧客は、さらに、当該注文内容確認画面１４０において、注文内容確認欄１４０ａに表示される注文内容を確認し、また、配送先欄１４０ｂに表示される宛先人に関する情報を確認した上で、注文送信ボタン１４０ｄをクリックする。すると、顧客認証のための小画面１４０ｃが表示される。顧客は、当該小画面１４０ｃにおいて、パスワード欄１４０ｇに配信されたパスワードを入力した後、「ＯＫ」ボタン１４０ｆをクリックすると、ダウンロードされるＤＥＳで暗号化された会員パスワードと小画面１４０ｃのパスワード欄１４０ｇに入力されたパスワードとが比較され、それらが一致した場合には、会員ＩＤ、配送先を含む注文情報が受発注サーバ１に送信される。この際、注文内容確認欄１４０ａに表示される注文内容や、配送先欄１４０ｂに表示される宛先人に関する情報に誤りがあった場合には、「もどる」ボタン１４０ｅをクリックすることで、図１９に示すプリント注文画面１３０に表示が戻り、顧客は、その修正を行うことができる。
【００９６】
尚、当該注文内容確認画面１４０には、この他、アンケート欄１４０ｈが設けられており、顧客は、当該アンケート欄１４０ｈにおいて、デザイナーを、例えばＡＡ、Ｂ、ＢＢのように段階的に評価する。これにより、受発注管理者は、個々のデザイナーのスキルを顧客の判断から確認することができる。
【００９７】
（メール送信の流れ）
次に、上述した顧客端末２、作業者端末３及び受発注管理者端末４間におけるメール送信の流れについて、図２１乃至図２５を参照しながら説明する。
【００９８】
図２１に、顧客端末２、作業者端末３及び受発注管理者端末４間におけるメールの発行タイミングを示す。図２１に示すように、顧客端末２、作業者端末３及び受発注管理者端末４間において発行されるメールには、顧客からのデザイン注文を受発注サーバ１が受信して、デザイン作業の振り分けを行うデザイン振分通知▲１▼、受発注管理者がデザイン作業の振り分けに基づき、デザイナーへデザイン作成業務を依頼するデザイン作業依頼▲２▼、デザイナーが作成したデザイン画像の校正を受発注管理者へ通知するデザイン校正通知▲３▼、受発注管理者がデザイン画像の修正をデザイナーへ依頼するデザイン修正依頼▲４▼、受発注管理者からデザイン注文を行った顧客へのデザイン完了通知（デザイン作成終了確認通知）▲５▼、顧客が作成されたデザイン画像を確認して、修正したい場合に行う受発注管理者及びデザイナーへの修正依頼▲６▼、顧客が作成されたデザイン画像を確認して、修正が無い場合に行う受発注管理者及びデザイナーへのデザイン確認通知（デザイン校閲終了確認通知）▲７▼等がある。
【００９９】
これらのメールは、受発注サーバ１において、Ｅ−Ｍａｉｌタイトルが作成されて、発行される。このＥ−Ｍａｉｌタイトルには、進捗管理情報、注文番号、顧客名、作業完了日時を付することになっている。
【０１００】
尚、進捗管理情報は、例えば［デザイン振分通知］、［デザイン作業依頼］、［デザイン校正通知］、［デザイン完了通知］、［顧客の修正依頼］、［顧客の確認通知］等のタイトルとし、文字数は、同数とすればＥ−Ｍａｉｌ管理画面に表示する場合に見やすい。また、注文番号としては、例えば［ｄｃ０００ｏｉ０２１１１２００２］等とする。また、顧客名としては、例えば［コニカ太郎］、［コニカ次郎］等とし、顧客の氏名を付する。また、作業完了日時としては、例えば［２００３／０２／１０  ０７：３８：１２］、［２００３／０３／１５  １４：２５：５６］等とする。
【０１０１】
図２２に、顧客端末２、作業者端末３及び受発注管理者端末４に表示されるＥ−Ｍａｉｌ管理画面及びＥ−Ｍａｉｌ発行画面を示す。図２２に示すように、顧客、デザイナー及び受発注管理者は、各々、顧客端末２、作業者端末３及び受発注管理者端末４から受発注サーバ１にログインして、受発注サーバ１においてＥ−Ｍａｉｌを作成し、これを発行することで、顧客、デザイナー及び受発注管理者に対する指示、確認等を行う。
【０１０２】
顧客端末２、作業者端末３及び受発注管理者端末４には、各々、Ｅ−Ｍａｉｌ発行画面１６０、１６１、１６２が設けられ、顧客、デザイナー及び受発注管理者は、各々、送信先と、Ｅ−Ｍａｉｌタイトルを記入して、これを発行する。Ｅ−Ｍａｉｌタイトルは、『［            ］−［            ］−［          ］−［            ］』に、指定された進捗管理情報、注文番号、顧客名、作業完了日時を記入するようになっている。
【０１０３】
また、受発注管理者端末４には、図２３に示すＥ−Ｍａｉｌ管理画面１５２が設けられている。当該Ｅ−Ｍａｉｌ管理画面１５２には、Ｅ−Ｍａｉｌの送信日時１５２ａ、差出人１５２ｂ、Ｅ−Ｍａｉｌタイトル１５２ｃが表示される。このＥ−Ｍａｉｌ管理画面１５２には、デザイン振分通知▲１▼、デザイン校正通知▲３▼、顧客の修正依頼▲６▼及び顧客のデザイン確認通知▲７▼が表示される。
【０１０４】
また、作業者端末３には、図２４に示すＥ−Ｍａｉｌ管理画面１５１が設けられている。当該Ｅ−Ｍａｉｌ管理画面１５１には、Ｅ−Ｍａｉｌの送信日時１５１ａ、差出人１５１ｂ、Ｅ−Ｍａｉｌタイトル１５１ｃが表示される。このＥ−Ｍａｉｌ管理画面１５２には、デザイン作業依頼▲２▼、デザイン修正依頼▲４▼、顧客の修正依頼▲６▼、顧客のデザイン確認通知▲７▼が表示される。
【０１０５】
また、顧客端末２には、図２５に示すＥ−Ｍａｉｌ管理画面１５０が設けられている。当該Ｅ−Ｍａｉｌ管理画面１５０には、Ｅ−Ｍａｉｌの送信日時１５０ａ、差出人１５０ｂ、Ｅ−Ｍａｉｌタイトル１５０ｃが表示される。このＥ−Ｍａｉｌ管理画面１５０には、デザイン完了通知▲５▼が表示される。
【０１０６】
以上に説明したように、本実施形態における画像編集加工サービス提供システム、及び画像編集加工サービス提供方法においては、ポストカードやカレンダーなどの画像プリントサービスを提供する際に、画像プリントを行う対象物のカテゴリに応じて、文字情報を入力するフォーマットの構成が変更されるので、不要な修正が行われることを回避して、効率良く画像プリントを行うことができる。
【０１０７】
尚、本実施形態における画像編集加工サービス提供システム、及び画像編集加工サービス提供方法においては、顧客が対象物選択画面１０において特定したポストカード、或いは、カレンダーのカテゴリに応じて、自動的に、そのカテゴリに対応したテンプレート選択画面が表示され、さらに、そのカテゴリに対応した注文情報入力画面が表示されることとしたが、例えば、予め汎用の注文情報入力画面を用意しておくような場合には、カテゴリに対応した注文情報入力画面と汎用の注文情報入力画面の何れを用いるのかを、顧客が、注文情報入力画面３０、３１などにおいて、図示省略の選択項目をクリックすることで、選択することができるようにしても良い。これは、顧客によっては、汎用の注文情報入力画面であった方が入力しやすいといった要望があるからである。但し、このような場合には、上述した手法により、印刷される項目と印刷されない項目を明確に区別することが特に重要になる。
【０１０８】
また、本実施形態における画像編集加工サービス提供システム、及び画像編集加工サービス提供方法においては、顧客が対象物選択画面１０において特定したポストカード、或いは、カレンダーのカテゴリに応じて、自動的に、そのカテゴリに対応したテンプレート選択画面が表示され、さらに、そのカテゴリに対応した注文情報入力画面が表示され、しかも、その注文情報入力画面において表示される文字情報入力欄の挨拶文（主文）項目、挨拶文（副文）項目、印刷氏名項目、連絡先項目等の並び順は、そのポストカード、或いは、カレンダーを作成する際の記入順とする（例えば、上から下、左から右）こととしたが、例えば、それらの並び順を固定とすることも念頭に入れる場合には、それらの並び順を記入する際の順番とするのか、或いは、固定とするのかを、顧客が、注文情報入力画面３０、３１などにおいて、図示省略の選択項目をクリックすることで、選択することができるようにしても良い。これは、顧客によっては、固定の並び順であった方が入力しやすいといった要望があるからである。但し、このような場合にも、上述した手法により、印刷される項目と印刷されない項目を明確に区別することが特に重要になる。
【０１０９】
【発明の効果】
以上に説明したように、本発明に係る画像編集加工サービス提供システム、及び画像編集加工サービス提供方法によれば、ポストカードやカレンダーなどの画像プリントサービスを提供する際に、画像プリントを行う対象物のカテゴリに応じて、文字情報を入力するフォーマットの構成が変更されるので、不要な修正が行われることを回避して、効率良く画像プリントを行うことができる。
【図面の簡単な説明】
【図１】本発明に係る画像編集加工サービス提供システムの一実施形態における全体構成を表す構成図である。
【図２】図１に示す画像編集加工サービス提供システムの画像編集加工サービスの流れを説明するためのフローチャートである。
【図３】図１に示す画像編集加工サービス提供システムを構成する受発注サーバ、顧客端末、作業者端末及び受発注管理者端末間における情報の授受を説明するためのシーケンスである。
【図４】図１に示す画像編集加工サービス提供システムの顧客端末において表示される対象物選択画面の構成を表す構成図である。
【図５】図１に示す画像編集加工サービス提供システムの顧客端末において表示されるテンプレート選択画面の構成を表す構成図である。
【図６】図１に示す画像編集加工サービス提供システムの顧客端末において表示される注文情報入力画面の構成を表す構成図である。
【図７】図５に示すテンプレート選択画面の他の構成を表す構成図である。
【図８】図６に示す注文情報入力画面の他の構成を表す構成図である。
【図９】図１に示す画像編集加工サービス提供システムの顧客端末において表示されるチェック表の構成を表す構成図である。
【図１０】図１に示す画像編集加工サービス提供システムの顧客端末において表示されるデザイン決定画面の構成を表す構成図である。
【図１１】図１に示す画像編集加工サービス提供システムの顧客端末において表示される画像アップロード画面の構成を表す構成図である。
【図１２】図１に示す画像編集加工サービス提供システムの顧客端末において表示される見積確認画面の構成を表す構成図である。
【図１３】図１に示す画像編集加工サービス提供システムの受発注管理者端末において表示されるデザイン進行状況確認画面の構成を表す構成図である。
【図１４】図１に示す画像編集加工サービス提供システムの受発注管理者端末において表示されるデザイン振り分け画面の構成を表す構成図である。
【図１５】図１に示す画像編集加工サービス提供システムの受発注管理者端末において表示される注文詳細情報画面の構成を表す構成図である。
【図１６】図１に示す画像編集加工サービス提供システムの受発注管理者端末において表示されるデザイン情報画面の構成を表す構成図である。
【図１７】図１に示す画像編集加工サービス提供システムの受発注管理者端末において表示されるスキル評価画面の構成を表す構成図である。
【図１８】図１に示す画像編集加工サービス提供システムの受発注管理者端末において表示される受発注管理者画面の構成を表す構成図である。
【図１９】図１に示す画像編集加工サービス提供システムの顧客端末において表示されるプリント注文画面の構成を表す構成図である。
【図２０】図１に示す画像編集加工サービス提供システムの顧客端末において表示される注文内容確認画面の構成を表す構成図である。
【図２１】図１に示す画像編集加工サービス提供システムの顧客端末、作業者端末及び受発注管理者端末間におけるメールの発行タイミングを示す説明図である。
【図２２】図１に示す画像編集加工サービス提供システムの顧客端末、作業者端末及び受発注管理者端末に表示されるＥ−Ｍａｉｌ管理画面及びＥ−Ｍａｉｌ発行画面を示す説明図である。
【図２３】図１に示す画像編集加工サービス提供システムの受発注管理者端末において表示されるＥ−Ｍａｉｌ管理画面の構成を表す構成図である。
【図２４】図１に示す画像編集加工サービス提供システムの作業者端末において表示されるＥ−Ｍａｉｌ管理画面の構成を表す構成図である。
【図２５】図１に示す画像編集加工サービス提供システムの顧客端末において表示されるＥ−Ｍａｉｌ管理画面の構成を表す構成図である。
【符号の説明】
１  受発注サーバ
２  顧客端末
３  作業者端末
４  受発注管理者端末
１０  対象物選択画面
２０、２１  テンプレート選択画面
３０、３１  注文情報入力画面
３５  チェック表
４０  デザイン決定画面
５０  画像アップロード画面
６０  見積確認画面
７０  デザイン進行状況確認画面
８０  デザイン振り分け画面
９０  注文詳細情報画面
１００  デザイン情報画面
１１０  スキル評価画面
１２０  受発注管理者画面
１３０  プリント注文画面
１４０  注文内容確認画面
１５０〜１５２  Ｅ−ｍａｉｌ管理画面
１６０〜１６２  Ｅ−Ｍａｉｌ発行画面
Ｎ  ネットワーク
【図１】
2004295167.tif 000003
【図２】
2004295167.tif 000004
【図３】
2004295167.tif 000005
【図４】
2004295167.tif 000006
【図５】
2004295167.tif 000007
【図６】
2004295167.tif 000008
【図７】
2004295167.tif 000009
【図８】
2004295167.tif 000010
【図９】
2004295167.tif 000011
【図１０】
2004295167.tif 000012
【図１１】
2004295167.tif 000013
【図１２】
2004295167.tif 000014
【図１３】
2004295167.tif 000015
【図１４】
2004295167.tif 000016
【図１５】
2004295167.tif 000017
【図１６】
2004295167.tif 000018
【図１７】
2004295167.tif 000019
【図１８】
2004295167.tif 000020
【図１９】
2004295167.tif 000021
【図２０】
2004295167.tif 000022
【図２１】
2004295167.tif 000023
【図２２】
2004295167.tif 000024
【図２３】
2004295167.tif 000025
【図２４】
2004295167.tif 000026
【図２５】
2004295167.tif 000027